(57)【要約】【課題】プラズマディスプレイ装置の表示電極の導電層において、基板全体に同一条件で形成可能で、しかも誘電体層中での気泡の発生を極力防ぐことを目的とする。【解決手段】前面側基板に表示電極を配置するとともに、背面側基板に前記表示電極と交差する方向にデータ電極を配置して構成したプラズマディスプレイ装置において、前記前面側基板上に形成された表示電極は黒色系の下層２２とこの下層２２上に形成した上層２３とからなる導電層２１を有し、前記導電層２１を前面側基板の端部に延長して形成することにより端子部２４を設け、かつ前記導電層２１の端子部２４においては上層２３と下層２２を同じ幅で形成するとともに、その他の部分においては上層２３の幅を下層２２の幅より小さくなるように形成した。【選択図】図１
2006049079.tif 000002
【特許請求の範囲】
【請求項１】
少なくとも前面側が透明な一対の基板を基板間に放電空間が形成されるように対向配置するとともに、前記放電空間を複数に仕切るための隔壁を背面側の基板に配置し、かつ前記隔壁により仕切られた放電空間で放電が発生するように前面側基板に表示電極を配置するとともに、背面側基板に前記表示電極と交差する方向にデータ電極を配置して構成したプラズマディスプレイ装置において、前記前面側基板上に形成された表示電極は黒色系の下層とこの下層上に形成した上層とからなる導電層を有し、前記導電層を前面側基板の端部に延長して形成することにより端子部を設け、かつ前記導電層の端子部においては上層と下層を同じ幅で形成するとともに、その他の部分においては上層の幅を下層の幅より小さくなるように形成したことを特徴とするプラズマディスプレイ装置。
【発明の詳細な説明】
【技術分野】
【０００１】
本発明は、大画面で、薄型、軽量のディスプレイ装置として知られているプラズマディスプレイ装置に関するものである。
【背景技術】
【０００２】
近年、プラズマディスプレイ装置は、視認性に優れた表示パネル（薄型表示デバイス）として注目されており、高精細化および大画面化が進められている。
【０００３】
このプラズマディスプレイ装置には、大別して、駆動的にはＡＣ型とＤＣ型があり、放電形式では面放電型と対向放電型の２種類があるが、高精細化、大画面化および製造の簡便性から、現状では、ＡＣ型で面放電型のプラズマディスプレイ装置が主流を占めるようになってきている。
【０００４】
図４にプラズマディスプレイ装置におけるパネル構造の一例を示し、図５に図４のＡ−Ａ線で切断した断面を示し、図６に図４のＢ−Ｂ線で切断した断面を示している。図に示すように、ガラス基板などの透明な前面側の基板１上には、走査電極２と維持電極３とで対をなすストライプ状の表示電極４が複数対形成され、そして基板１上の隣り合う表示電極４間には遮光層５が配置形成されている。この走査電極２および維持電極３は、それぞれ透明電極２ａ、３ａおよびこの透明電極２ａ、３ａに電気的に接続された銀等の導電層２ｂ、３ｂとから構成されている。また、前記前面側の基板１には、前記複数対の電極群を覆うように誘電体層６が形成され、その誘電体層６上には保護膜７が形成されている。
【０００５】
また、前記前面側の基板１に対向配置される背面側の基板８上には、走査電極２及び維持電極３の表示電極４と直交する方向に、絶縁体層９で覆われた複数のストライプ状のデータ電極１０が形成されている。このデータ電極１０間の絶縁体層９上には、データ電極１０と平行にストライプ状の複数の隔壁１１が配置され、この隔壁１１間の側面１１ａおよび絶縁体層９の表面に蛍光体層１２が設けられている。
【０００６】
これらの基板１と基板８とは、走査電極２および維持電極３とデータ電極１０とが直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁１１によって複数の区画に仕切ることにより、表示電極４とデータ電極１０との交点が位置する複数の放電セル１３が設けられ、その各放電セル１３には、赤色、緑色及び青色となるように蛍光体層１２が一色ずつ順次配置されている。
【０００７】
このパネル本体の電極配列は、図７に示すように、Ｍ行×Ｎ列の放電セルからなるマトリックス構成であり、行方向にはＭ行の走査電極ＳＣＮ1〜ＳＣＮMおよび維持電極ＳＵＳ1〜ＳＵＳMが配列され、列方向にはＮ列のデータ電極Ｄ1〜ＤNが配列されている。
【０００８】
ところで、このようなプラズマディスプレイ装置において、特許文献１に示すように、表示電極の導電層を黒色系の下層と低抵抗の上層の２層により形成することが知られている。
【特許文献１】特開平１１−２７３５７８号公報
【発明の開示】
【発明が解決しようとする課題】
【０００９】
しかしながら、上記先行文献に記載のものでは、導電層において透明電極上に形成する表示領域内では２層構造としているものの、表示領域外の端子部においては、上層のみ延長して形成する構造であり、導電層の形成条件が表示領域内と表示領域外とで異なることから、形成しにくいという課題があった。
【００１０】
一方、表示領域外の端子部も含め、下層と上層を同じ幅で２層構造の導電層を形成することも考えられるが、黒色系の下層形成時に生じるサイドエッチにより、下層と上層で電極焼成時に応力歪が発生し、導電層端面の形状が下層が内側に湾曲した形状となり、表示電極上に形成する誘電体層中に気泡が残りやすいという課題が発生する。
【００１１】
本発明はこのような課題に鑑みなされたもので、基板全体に同一条件で形成可能で、しかも誘電体層中での気泡の発生を極力防ぐことを目的とするものである。
【課題を解決するための手段】
【００１２】
この課題を解決するために本発明は、少なくとも前面側が透明な一対の基板を基板間に放電空間が形成されるように対向配置するとともに、前記放電空間を複数に仕切るための隔壁を背面側の基板に配置し、かつ前記隔壁により仕切られた放電空間で放電が発生するように前面側基板に表示電極を配置するとともに、背面側基板に前記表示電極と交差する方向にデータ電極を配置して構成したプラズマディスプレイ装置において、前記前面側基板上に形成された表示電極は黒色系の下層とこの下層上に形成した上層とからなる導電層を有し、前記導電層を前面側基板の端部に延長して形成することにより端子部を設け、かつ前記導電層の端子部においては上層と下層を同じ幅で形成するとともに、その他の部分においては上層の幅を下層の幅より小さくなるように形成したことを特徴とするものである。
【発明の効果】
【００１３】
本発明によれば、表示電極でのコントラストを確保しつつ電極抵抗を任意に制御することができ、また導電層焼成時にかかる応力を小さくして形状をなめらかにすることができることにより、後工程の誘電体形成時における気泡発生を緩和することができ、しかも導電層の形成を基板全体に同一条件で行うことができる。
【発明を実施するための最良の形態】
【００１４】
以下、本発明の一実施の形態によるプラズマディスプレイ装置について、図１〜図３を用いて説明する。
【００１５】
図１は本発明の一実施の形態によるプラズマディスプレイ装置において、前面側基板に形成する表示電極の導電層のパターン形状を示し、図２、図３にその要部を拡大して示している。なお、プラズマディスプレイ装置のその他の構成については、図４〜図６に示すものと同様な構成であり、説明は省略する。
【００１６】
図１において、２１は走査電極、維持電極からなる表示電極を構成する透明電極上に形成した導電層で、この導電層２１は黒色系の下層２２と低抵抗層である上層２３とから構成されている。前記導電層２１は、２層構造の状態で前面側基板の表示領域外の端部に延長して形成することにより端子部２４が設けられている。また、端子部２４は、電極取り出しのための配線基板と接続する接続部２４ａと、導電層２１の表示領域内の部分との間をつなぐための傾斜形状の引き出し線部２４ｂとを有している。
【００１７】
さらに、前記導電層２１の端子部２４においては、図２に示すように、上層２３と下層２２を同じ幅で形成するとともに、その他の表示領域内の透明電極上に形成される部分においては、図３に示すように上層２３の幅を下層２２の幅より小さくなるように形成している。また、黒色系の下層２２は、酸化ルテニウムもしくはルテニウムの複合酸化物からなる材料を印刷し、乾燥・焼成することにより形成され、低抵抗層の上層２３は銀を含んだ導電性材料を印刷し、乾燥・焼成することにより形成されている。
【００１８】
以上の説明から明らかなように本発明にかかるプラズマディスプレイ装置によれば、前面側基板上の表示領域の表示電極として機能する部分では、黒色系の下層２２が上層２３よりも線幅が広くなっており、これによりコントラストを確保しつつ電極抵抗を任意に制御することができる。さらに、導電層２１の焼成時にかかる応力を小さくし、形状をなめらかにすることができ、後工程の誘電体形成時における気泡発生を緩和することができ、パネル耐圧の向上を図ることができる。
【００１９】
また、端子部においては下層２２と上層２３は同幅であり、これにより表示領域外では本来の電極としての役割を十分に果たすことができるとともに、表示領域内、表示領域外に亘って、同じ２層構造の導電層を同一条件で形成することができる。
【産業上の利用可能性】
【００２０】
本発明によれば、表示電極でのコントラストを確保しつつ電極抵抗を任意に制御することができるとともに、誘電体形成時における気泡発生を緩和することができ、しかも導電層の形成を基板全体に同一条件で行うことができるというプラズマディスプレイ装置にとって有用な発明である。
【図面の簡単な説明】
【００２１】
【図１】本発明の一実施の形態によるプラズマディスプレイ装置の電極構造を示す平面図
【図２】同装置の要部を示す斜視図
【図３】同じく要部を示す斜視図
【図４】プラズマディスプレイ装置のパネル構造を一部を切り欠いて示す斜視図
【図５】図４のＡ−Ａ線で切断した断面図
【図６】図４のＢ−Ｂ線で切断した断面図
【図７】同装置の電極配列を示す配線図
【符号の説明】
【００２２】
１、８  基板
２  走査電極
２ａ、３ａ  透明電極
３  維持電極
４  表示電極
５  遮光層
６  誘電体層
７  保護膜
９  絶縁体層
１０  データ電極
１１  隔壁
１２  蛍光体層
１３  放電セル
２１  導電層
２２  下層
２３  上層
２４  端子部
【図１】
2006049079.tif 000003
【図２】
2006049079.tif 000004
【図３】
2006049079.tif 000005
【図４】
2006049079.tif 000006
【図５】
2006049079.tif 000007
【図６】
2006049079.tif 000008
【図７】
2006049079.tif 000009